(57)【要約】【課題】開閉部をしっかりと開くことができる開閉装置を提供する。【解決手段】  開閉装置１０は、ベース部３０に回転可能に設けられ、ベース部３０の開口を閉じた閉状態をとり、閉状態から開方向に回転して開状態をとる開閉部３２と、回転するように撓み可能にベース部３０に設けられ、操作を受けて動いた後に復元力により初期位置に戻る操作部３４とを備える。操作部３４は、開閉部をロックして回転を規制し、開閉部を閉状態に維持するロック部と、開閉部を開き方向に回転させるために開閉部に当接する当接部と、を有する。開閉部３２は、当接部から開き方向に回転させる力を受ける受け部を有する。開閉部３２が閉状態であるときに操作部３４が操作を受けると当接部が受け部より開閉部３２の閉じ方向側に移動して、操作部３４の初期位置に戻る動きによって当接部が受け部に当接して開閉部３２を閉状態から開方向に回転させる。【選択図】図３
2019214274.tif 000002
【特許請求の範囲】
【請求項１】
ベース部と、
前記ベース部に回転可能に設けられる開閉部と、
回転可能または回転するように撓み可能に前記ベース部に設けられ、操作を受けて動いた後に復元力により初期位置に戻る操作部と、を備え、
前記操作部は、
前記開閉部をロックして回転を規制し、前記開閉部を閉状態に維持するロック部と、
前記開閉部を開き方向に回転させるために前記開閉部に当接する当接部と、を有し、
前記開閉部は、前記当接部から開き方向に回転させる力を受ける受け部を有し、
前記当接部は、前記開閉部が閉状態である場合に前記操作部が操作を受けると前記操作部の動きによって
前記開閉部が閉状態であるときに前記操作部が操作を受けると前記当接部が前記受け部より前記開閉部の閉じ方向側に移動して、前記操作部の初期位置に戻る動きによって前記当接部が前記受け部に当接して前記開閉部を閉状態から開方向に回転させることを特徴とする開閉装置。
【請求項２】
前記受け部は、前記当接部の移動軌跡に重なる位置に設けられ、
前記当接部および前記受け部の一方は、撓み可能に設けられ、前記当接部が前記受け部より前記開閉部の閉じ方向側に移動する際に撓むことを特徴とする請求項１に記載の開閉装置。
【請求項３】
前記当接部は、前記開閉部の回転軸方向に見て前記操作部が前記ベース部に連結された位置から前記開閉部の回転軸側にずれて位置することを特徴とする請求項１または２に記載の開閉装置。
【請求項４】
前記操作部は、操作を受けた動きによりロック解除し、ロック解除後にさらに操作を受けて前記当接部を前記受け部より前記開閉部の閉じ方向側に移動させることを特徴とする請求項１から３のいずれかに記載の開閉装置。
【請求項５】
前記操作部は、前記ベース部の底部から立設して前記底部に固定されており、
前記当接部は、前記操作部の固定点周りに回転するように移動可能であることを特徴とする請求項１から４のいずれかに記載の開閉装置。
【発明の詳細な説明】
【技術分野】
【０００１】
本発明は、操作部の動きによって開閉部を開く開閉装置に関する。
【背景技術】
【０００２】
特許文献１には、車両の荷室に配設されるボードに取り付けられるハンドル装置が開示されている。このハンドル装置は、凹み形状に形成される基部と、基部に回転可能に連結される蓋部と、基部および蓋部を連結して蓋部を開き方向に付勢するヒンジ部とを備える。
【先行技術文献】
【特許文献】
【０００３】
【特許文献１】特開２０１４−１６２２８８号公報
【発明の概要】
【発明が解決しようとする課題】
【０００４】
特許文献１に開示されるハンドル装置では、蓋部がヒンジ部の付勢によって開くが、経時的にヒンジ部の付勢力が弱まると、蓋部が十分に開かないおそれがある。
【０００５】
本発明はこのような課題に鑑みてなされたものであり、その目的は、開閉部をしっかりと開くことができる開閉装置を提供することにある。
【課題を解決するための手段】
【０００６】
上記課題を解決するために、本発明のある態様の開閉装置は、ベース部と、ベース部に回転可能に設けられる開閉部と、回転可能または回転するように撓み可能にベース部に設けられ、操作を受けて動いた後に復元力により初期位置に戻る操作部と、を備える。操作部は、開閉部をロックして回転を規制し、開閉部を閉状態に維持するロック部と、開閉部を開き方向に回転させるために開閉部に当接する当接部と、を有する。開閉部は、当接部から開き方向に回転させる力を受ける受け部を有する。開閉部が閉状態であるときに操作部が操作を受けると当接部が受け部より開閉部の閉じ方向側に移動して、操作部の初期位置に戻る動きによって当接部が受け部に当接して開閉部を閉状態から開方向に回転させる。
【発明の効果】
【０００７】
本発明によれば、開閉部をしっかりと開くことができる開閉装置を提供できる。
【図面の簡単な説明】
【０００８】
【図１】実施例の開閉装置の斜視図である。
【図２】開状態の本体部材について説明するための図である。
【図３】取付部材に取り付けた状態の開閉装置の断面図である。
【図４】開閉部の開き動作について説明するための図である。
【図５】図４（ｃ）に示す開閉部の開き動作の続きを示す図である。
【発明を実施するための形態】
【０００９】
図１は、実施例の開閉装置１０の斜視図である。図１（ａ）は開閉装置１０の開閉部３２をロックして閉じた状態を示し、図１（ａ）は開閉部３２をロック解除して開いた状態を示す。このように開閉装置１０の開閉部３２は、開閉可能に設けられる。
【００１０】
例えば、開閉装置１０は平板状のボードに取り付けられる。平板状のボードは、車両の後部に設けられるトランクルームを上下に仕切るために、トランクルームに設けられる。トランクルームの下室には例えばスペアタイヤが載置される。
【００１１】
トランクルームの下室の荷物を出し入れする場合に、ユーザによってボードが持ち上げられるが、開閉装置１０は、ユーザによってボードを把持するための取っ手としても用いられる。開閉装置１０にはフック７０が形成され、後部座席裏側にフック７０を引っ掛けることで、ボードを持ち上げた状態で静止させて、トランクルームの下室の荷物を出し入れできる。このように、開閉装置１０はボードに取り付けられるハンドル装置として機能し、開口を閉じる蓋やフック装置としても機能する。
【００１２】
開閉装置１０は、本体部材２０およびカバー部材２２により構成される。本体部材２０は、ボードなどの取付部材の取付孔に取付部材の表側から取り付けられる。カバー部材２２は、本体部材２０に回転可能に連結され、本体部材２０の裏側から本体部材２０の底部４２を覆う。カバー部材２２は、本体部材２０のフランジ部４６と取付孔の縁を挟み、本体部材２０を取付部材に取り付けるために設けられる。
【００１３】
本体部材２０は、ベース部３０、開閉部３２、操作部３４および回転軸６６を有し、ベース部３０、開閉部３２、操作部３４および回転軸６６が樹脂材料により一体に成形されている。ベース部３０は、箱形状に形成され、開閉部３２により開閉される開口３１を有する。
【００１４】
開閉部３２は、回転軸６６によりベース部３０に回転可能に設けられ、ベース部３０にロックされた閉状態と、ロック解除された開状態とをとる。回転軸６６は、ベース部３０の一端に位置し、薄肉に形成されて撓み可能である。回転軸６６は、開閉部３２を開くように付勢手段として機能してよく、付勢しなくてもよい。操作部３４は、ベース部３０に立設し、回転するように撓み可能に設けられる。
【００１５】
開閉部３２には、図１（ａ）に示す閉状態において操作部３４を露出させる開口部７２を有する。操作部３４の凸状のロック部６４が、開閉部３２の凹状の被ロック部６８ａに入り込み、開閉部３２を閉状態にロックしている。
【００１６】
図１（ａ）に示す操作部３４をユーザが押すと、操作部３４が撓んでロック部６４および被ロック部６８ａのロックが解除され、開閉部３２が閉状態から図１（ｂ）示す開状態になる。図１（ｂ）に示すように、開閉部３２の裏面で、開口部７２の縁に凸状の受け部７４が形成される。受け部７４は、操作部３４に当接可能であり、操作部３４から復元力を受けて、開閉部３２を開方向に回転させる。
【００１７】
図２は、開状態の本体部材２０について説明するための図である。図２（ａ）は開閉部３２の裏面およびベース部３０の表面を示し、図２（ｂ）は開閉部３２の表面およびベース部３０の裏面を示す。また、図３は、取付部材１２に取り付けた状態の開閉装置１０の断面図である。開閉装置１０は、取付部材１２の取付孔１２ａに取り付けられる。
【００１８】
ベース部３０は、剛体爪３６、第１軸部３８ａ、第２軸部３８ｂ、軸支持部４０、底部４２、側部４４、フランジ部４６、複数の被係止部５２および底孔部５６を有する。
【００１９】
底部４２の外周端から立設して側部４４が壁状に形成される。フランジ部４６は、側部４４の上端から外向きに張り出す。フランジ部４６の一端に回転軸６６が形成され、フランジ部４６の他端部４６ａは、他のフランジ部４６より厚肉に形成される。
【００２０】
図３に示すように、剛体爪３６は一端側のフランジ部４６の下側に、フランジ部４６と対向して設けられる。剛体爪３６は、側部４４の一端面の中途から外向きに張り出す。剛体爪３６は、フランジ部４６と取付孔１２ａの縁を挟んで、開閉装置１０を取付部材１２に固定する。剛体爪３６は、板状に形成されており、取付孔１２ａの縁に差し込む際に撓み可能である。
【００２１】
軸支持部４０は、剛体爪３６より底部４２側で剛体爪３６を支持するように形成され、側部４４の一端面に形成される。軸支持部４０の両端には、第１軸部３８ａおよび第２軸部３８ｂが突出するように形成される。図２（ｂ）に示すように、第１軸部３８ａおよび第２軸部３８ｂは外径が異なるように形成されており、カバー部材２２の誤組み付けを防ぐように構成されている。第１軸部３８ａおよび第２軸部３８ｂは、カバー部材２２を回転可能に支持する。
【００２２】
側部４４の外側面には、複数の被係止部５２が形成され、カバー部材２２に係止される。複数の被係止部５２は、凹状または凸状に形成され、凹状の被係止部５２と凸状の被係止部５２を含む。
【００２３】
底部４２には、操作部３４を成形するための底孔部５６と、ロック部６４を成形するための抜き孔４３が形成される。底孔部５６は、操作部３４の底側に位置する貫通孔である。
【００２４】
開閉部３２は、壁部６８、フック７０、開口部７２および受け部７４を有する。フック７０は、図３に示すように、開閉部３２の先端側に形成され、鉤爪状に形成される。壁部６８は、先端側の開口部７２の縁から垂下するように設けられ、孔状の被ロック部６８ａを有する。
【００２５】
受け部７４は、基端側の開口部７２の縁から垂下するように板状に設けられ、薄肉で撓み可能である。また、受け部７４は、開閉部３２の裏面から突出するように形成される。壁部６８と受け部７４は、開口部７２を挟んで対向するように位置する。受け部７４は、被ロック部６８ａより回転軸６６に近い位置に設けられる。
【００２６】
操作部３４は、ベース部３０の底部４２から立設する支持部６０と、開閉部３２の閉状態において開口部７２から露出する操作面６２と、操作面６２の先端側に位置する当接部５８と、開閉部３２の被ロック部６８ａに出入り可能なロック部６４とを有する。開閉部３２の閉状態においてロック部６４は、被ロック部６８ａに入って、開閉部３２の開方向の回転を規制している。
【００２７】
図３に示すように、操作部３４は断面がＬ字状に形成される。支持部６０は幅方向Ｗに延在するように壁状に形成され、操作面６２およびロック部６４を支持し、操作面６２の移動に応じて回転するように動く。幅方向Ｗは、回転軸６６の軸方向に沿っており、平行である。支持部６０は、下端を固定点８８として回転するように撓み可能である。固定点８８は、操作部３４がベース部３０の底部４２に連結する位置である。
【００２８】
操作面６２は、支持部６０と直交するように支持部６０の上端に形成され、長さ方向Ｌにおいて回転軸６６に向かって、つまりベース部３０の一端に向かって延出する。操作面６２は、開閉部３２が閉状態である場合に開口部７２から露出する。長さ方向Ｌは、幅方向Ｗに直交し、ベース部３０において一端側の回転軸６６から他端部４６ａへ向かう方向に沿っている。操作面６２は、開閉部３２の閉状態において、開口部７２に収まり、開閉装置１０の表面を一様にする。
【００２９】
操作面６２の一端に当接部５８が形成され、操作面６２の他端側にロック部６４が形成される。当接部５８が一端側にある受け部７４に向かって移動すると、ロック部６４は、被ロック部６８ａから離脱する。当接部５８は、操作部３４の一端にフランジ状に形成され、表面となる操作面６２より一段下がった位置にて受け部７４に向かって張り出すように形成される。図３に示す開閉部３２の閉状態において、当接部５８は、受け部７４の下端より上方に位置しており、受け部７４の側方に位置する。
【００３０】
カバー部材２２は、略平板状に形成される。カバー部材２２は、ストッパ部７６、挟持部８６と、本体部材２０の第１軸部３８ａおよび第２軸部３８ｂに回転可能にそれぞれ連結する一対の軸受部（不図示）と、本体部材２０の被係止部５２に係止される係止部（不図示）とを有する。
【００３１】
ストッパ部７６は、ベース部３０の底孔部５６から突出し、操作面６２の下に位置し、操作部３４の過度な撓みを制限する。
【００３２】
挟持部８６は、カバー部材２２の先端に設けられ、平板状のカバー部材２２から立設するように設けられ、剛性が高められている。挟持部８６は、係止部８０が本体部材２０に係止した状態で、フランジ部４６の他端部４６ａと取付孔１２ａの縁を挟む。
【００３３】
開閉装置１０を取付部材１２に取り付ける際、ユーザは、カバー部材２２から取付孔１２ａに挿入させ、本体部材２０のフランジ部４６を取付孔１２ａの表側の縁に引っ掛け、一端側のフランジ部４６と剛体爪３６で取付孔１２ａの縁を挟ませる。次に、ユーザが挟持部８６を他端部４６ａに近づけるようにカバー部材２２を回転させると、係止部が被係止部５２にそれぞれ係止して、挟持部８６とフランジ部４６の他端部４６ａとが取付孔１２ａの縁を挟み、取付作業が完了する。
【００３４】
図４は、開閉部３２の開き動作について説明するための図である。図４（ａ）には、操作部３４の操作面６２が開閉部３２の開口部７２から露出した状態を示す。ユーザは、開閉部３２の開口部７２から露出した操作部３４の操作面６２を底部４２に向かって押す。
【００３５】
図４（ｂ）に示すように、操作面６２が押されて底部４２に向かって沈み込み、支持部６０が下端を固定点８８として回転するように撓む。操作部３４が支持部６０の下端を固定点８８として回転するように動くことで、ロック部６４が被ロック部６８ａから離脱し、ロック解除される。これにより、開閉部３２が開方向に回転可能となる。ロック部６４が支持部６０の上端に設けられることで、操作面６２の移動量に対する被ロック部６８ａから離れる方向の移動量を大きくとることができる。
【００３６】
受け部７４は、当接部５８の移動軌跡に重なる位置に設けられ、当接部５８が移動すると当たって干渉する。受け部７４が薄肉で撓み可能に設けられるため、操作面６２を沈むように押すと、受け部７４が当接部５８に当たって撓み、当接部５８を移動可能にする。
【００３７】
さらに操作面６２が押されて沈み込み、図４（ｃ）に示すように、当接部５８は、操作を受けた操作部３４の動きによって、開閉部３２の裏側であって受け部７４より開閉部３２の閉じ方向側にある準備位置Ｐに移動する。準備位置Ｐは、開閉部３２の閉状態において、受け部７４の先端の近傍であって、受け部７４より底部４２側の位置である。当接部５８が準備位置Ｐに移動するため、図中左向きである回転軸６６に向かう動きと、図中下向きである底部４２側に向かう動きをする。当接部５８が準備位置Ｐに移動すると、受け部７４は復元して垂下した状態に戻る。
【００３８】
当接部５８が準備位置Ｐに移動した状態で、ユーザが操作面６２から指を離してプッシュ操作を止めると、操作部３４は復元力により弾性復帰して元の初期位置に戻る。操作部３４の初期位置は、図４（ａ）に示す開閉部３２が閉状態であるときの位置である。
【００３９】
図５は、図４（ｃ）に示す開閉部３２の開き動作の続きを示す図である。図５（ａ）に示すように、操作部３４は、操作を受けて撓んだ後にユーザが操作面６２から指を離すと復元力により初期位置に戻る。この操作部３４の弾性復帰によって、当接部５８が受け部７４を持ち上げるように当接して、開閉部３２を開方向に回転させる。
【００４０】
図５（ｂ）に示すように、受け部７４が当接部５８に載った状態で、開閉部３２がベース部３０の開口３１から出た状態となり、ユーザは開閉部３２の先端に指を掛けて引き出すことができる。このように、ユーザが操作部３４を押すだけで、当接部５８により開閉部３２が持ち上げられるため、開閉部３２を確実に開くことができる。なお、受け部７４が撓んで当接部５８から外れても、壁部６８がロック部６４に引っかかって、開閉部３２が開口３１から出た状態が維持される。
【００４１】
ユーザが開閉部３２を閉方向に回転させると、壁部６８がロック部６４に当たって操作部３４を回転させて開閉部３２を閉じ、操作部３４が復元力により元の位置に戻りロック部６４が被ロック部６８ａに入ってロックされる。このように、操作部３４の復元力で操作部３４を元の位置に移動できるため、別部材のバネを用いる場合と比べて安価に製造できる。
【００４２】
当接部５８は、図３に示す開閉部３２の回転軸方向に見て操作部３４の固定点８８から開閉部３２の回転軸６６側にずれて位置する。つまり、ベース部３０の長さ方向Ｌにおいて、当接部５８は、操作部３４の固定点８８より回転軸６６側に位置する。これにより、操作部３４が回転するように動くと、当接部５８が回転軸６６側に移動して、準備位置Ｐへ移動できる。
【００４３】
操作部３４は、ベース部３０の底部４２から立設されており、操作部３４の固定点８８が当接部５８より底部４２側に位置する。つまり、当接部５８は、固定点８８より支持部６０の立設方向上方に位置する。これにより、操作部３４が回転するように動くと、当接部５８が固定点８８周りに回転するように移動し、底部４２側に移動して準備位置Ｐに移動できる。
【００４４】
操作部３４は、操作を受けて撓んで図４（ｂ）に示すようにロック解除し、ロック解除後にさらに操作を受けて図４（ｃ）に示すように当接部５８を準備位置Ｐに移動させる。このように、開閉部３２を回転規制を解除した後、当接部５８を準備位置Ｐに移動させて開閉部３２の開くようにすることで、当接部５８が準備位置Ｐに移動したときには、ロック解除が完了した状態になっており、開閉部３２を確実に開方向に回転させることができる。
【００４５】
本発明は上述の各実施例に限定されるものではなく、当業者の知識に基づいて各種の設計変更等の変形を各実施例に対して加えることも可能であり、そのような変形が加えられた実施例も本発明の範囲に含まれうる。
【００４６】
実施例では、操作部３４がベース部３０と一体に成形する態様を示したが、この態様に限られない。例えば、操作部３４をベース部３０と別体にして、ベース部３０に回転可能に軸支してよい。この変形例では、操作部３４を初期位置に戻すように付勢する弾性部が設けられる。操作部３４が操作を受けて弾性部に抗して回転して当接部５８が準備位置Ｐに移動した後、操作を止めると、弾性部の復元力により当接部５８が受け部７４を押して開閉部３２を開方向に回転させる。いずれにしても、復元力による操作部３４の動きによって、当接部５８が開閉部３２を開方向に回転させる。
【００４７】
また、実施例では、当接部５８の剛性が受け部７４より高く、受け部７４が撓み可能に設けられる態様を示したがこの態様に限られない。例えば、当接部５８を撓み可能に設け、受け部７４を剛体に形成してもよい。いずれにしても、開閉部３２の閉状態において、当接部５８の移動軌跡上に受け部７４が位置し、当接部５８が準備位置Ｐに移動する際に、当接部５８および受け部７４の一方が撓む。
【符号の説明】
【００４８】
１０  開閉装置、  １２  取付部材、  １２ａ  取付孔、  ２０  本体部材、  ２２  カバー部材、  ３０  ベース部、  ３１  開口、  ３２  開閉部、  ３４  操作部、  ３６  剛体爪、  ３８ａ  第１軸部、  ３８ｂ  第２軸部、  ４０  軸支持部、  ４２  底部、  ４３  抜き孔、  ４４  側部、  ４６  フランジ部、  ４６ａ  他端部、  ５２  被係止部、  ５６  底孔部、  ５８  当接部、  ６０  支持部、  ６２  操作面、  ６４  ロック部、  ６６  回転軸、  ６８  壁部、  ６８ａ  被ロック部、  ７０  フック、  ７２  開口部、  ７４  受け部、  ７６  ストッパ部、  ８６  挟持部、  ８８  固定点。
【図１】
2019214274.tif 000003
【図２】
2019214274.tif 000004
【図３】
2019214274.tif 000005
【図４】
2019214274.tif 000006
【図５】
2019214274.tif 000007